(57)【要約】【課題】通常の状態であっても照明が可能であり、また任意に投光量を調整することのできる照明設備を提供せんとするものである。【解決手段】本体の開口部を覆うカバー９が、押込み位置で手前側へ露出している第一のカバー部９ａと、突出位置で本体の手前側へ露出する第二のカバー部９ｂとで形成されており、しかも両カバー部が第一の透光部１４又は第二の透光部１５を有しているので、押込み位置のときであっても前記第一の透光部１４から光源１２の光が前面側へ照射され、使用者にとって眩しくない照明が行われる。また投光領域の面積が可変できるようになっており、カバー９が突出位置にあるときには、第二のカバーの第二透光部１５の露呈する領域が拡大し、当該露呈した領域の第二の透光部１５を通じて光源１２の光が正面側へ照射されるようになり、使用状態に応じた最適な光量を選択することが可能である。【選択図】  図１
2006198154.tif 000002
【特許請求の範囲】
【請求項１】
内部に光源を有すると共に手前側に開口部を有する本体と、該本体の手前側へ向かって摺動又は揺動して押込み位置から突出位置へ移動可能であり、且つ前記開口部を覆うカバーとを備えた照明設備であって、該カバーは、該カバーが押込み位置にあるとき、前記本体の手前側に露出しており且つ前記開口部を覆う第一カバー部と、前記カバーが押込み位置にあるとき、前記本体の内部に隠蔽された第二カバー部とを備え、前記第一カバー部の一部又は全部が透光性を有する第一透光部であり、前記第二カバー部の一部又は全部が透光性を有する第二透光部であり、前記カバーの押込み位置から突出位置への移動に伴って前記第二透光部が前記本体の手前側に露出することを特徴とする照明設備。
【請求項２】
前記第一透光部の単位面積当たりの透光量が、前記第二透光部の単位面積当たりの透光量に比べて少ない請求項１に記載の照明設備。
【請求項３】
前記光源は発光量を変化できるものであり、前記カバーが押込み位置にあるときには発光量を少なくし、前記カバーが突出位置にあるときには発光量を多くするようにした発光量切換回路が設けられている請求項１又は２に記載の照明設備。
【請求項４】
前記光源は発光色の異なるものを有しており、前記カバーの位置に応じて発光色を切り換える発光色切換回路が設けられている請求項１乃至３のいずれかに記載の照明設備。
【請求項５】
前記カバーは前記本体の手前側への摺動又は揺動を停止させる停止装置を有し、該停止装置は停止機能を解除し、前記開口部を手前側に解放する解除機構を備えている請求項１に記載の照明設備。
【請求項６】
前記照明設備がミラーキャビネットの主鏡に近接して配設され、前記カバーが押込み位置にあるときに前記第一カバー部と、前記主鏡とが、面一になるようにした請求項１乃至５のいずれかに記載の照明設備。
【請求項７】
取出し口を有する収納空間を前記主鏡の背面側に設けると共に、前記主鏡が前記取出し口を開閉できるように設けられ、前記主鏡を開いたときに、前記第二透光部を通して前記収納空間を照明するようにした請求項６に記載の照明設備。
【請求項８】
前記主鏡の両側に照明設備が近接して配設されている前記請求項６又は７に記載の照明設備。
【発明の詳細な説明】
【技術分野】
【０００１】
本発明は、ミラーキャビネットや水屋、食器棚等を照明するための設備に関するものである。
【背景技術】
【０００２】
ミラーキャビネットの照明としては、ミラーキャビネット本体の上端面側に、照明カバーを備えたランプや蛍光灯等の照明器具を配設するのが一般的である。ところが、このような全体が固定式の照明装置であると、特定の方向や場所を主体に照明領域を変えることができず、状況に応じた照明効果を得ることができなかった。例えば、ミラーキャビネットの前で鏡に向かって化粧をする場合、鏡の上部からの照明だけでは明るさが不足し、また陰影が一方向だけにできるという欠点があった。そのため、化粧を行うには、顔の向きを変えたり、鏡に近づけたり、遠ざけたり、上を向いたり等のいろいろな姿勢を取らなければならず、使い勝手が悪く、また十分な照明効果が得られ難いという欠点があった。
【０００３】
このような問題点を解決する手段として、特許文献１及び特許文献２に記載された発明がある。特許文献１に記載された発明は、鏡の一部領域を開閉扉又は引出方式とし、開閉扉の裏面側又は引出内に補助光源を設け、必要に応じて開閉扉を任意の角度に開けたり、又は引出を任意量引き出すことで、補助光源を前面側へ出没可能とし、照明の方向や光量を変化させるようにしている。
【０００４】
一方、引用文献２に記載された発明にあっては、ミラーキャビネットの主鏡の両サイドにそれぞれ副鏡を設けると共に、各鏡の背面側に収納空間を設け、両サイドの収納空間に蛍光灯を配設している。また副鏡に、窓を縦方向に間欠的に配設している。そして、これらの主鏡及び副鏡を開閉自在な扉式としている。主鏡及び副鏡が閉じられた状態で使用されるときは、前記蛍光灯の照明が副鏡の各窓を通じて主鏡の前で化粧を行っている利用者へ向けて照射されるようになっている。また副鏡を開けたときには、主鏡と副鏡とにより合わせ鏡として利用することができる。この場合も前記蛍光灯の照明が副鏡の各窓を通じて主鏡の前で化粧を行っている利用者へ向けて照射されるようになっている。
【特許文献１】実開平１−１６８９１２号公報
【特許文献２】特開２００２−２０９６９４号公報
【発明の開示】
【発明が解決しようとする課題】
【０００５】
ところが、特許文献１に記載された発明にあっては、補助光源をしまったときに、補助光源は完全に閉塞された状態となり、前面側へ光を照射することができないでいた。またこの方式であると、主光源と補助光源との二つの光源を準備する必要があり、コストアップになるという欠点があった。
一方、特許文献２に記載された発明にあっては、副鏡に多数の窓を開口形成する必要があり、また副鏡を開いたときに主鏡の中の収納空間を副鏡の窓からの光では有効に照らすことができないでいた。
【０００６】
本発明は従来の前記課題に鑑みてこれを改良除去したものであって、通常の状態であっても照明が可能であり、また任意に投光量を調整することのできる照明設備を提供せんとするものである。
【課題を解決するための手段】
【０００７】
而して、前記課題を解決するために本発明が採用した請求項１の手段は、内部に光源を有すると共に手前側に開口部を有する本体と、該本体の手前側へ向かって摺動又は揺動して押込み位置から突出位置へ移動可能であり、且つ前記開口部を覆うカバーとを備えた照明設備であって、該カバーは、該カバーが押込み位置にあるとき、前記本体の手前側に露出しており且つ前記開口部を覆う第一カバー部と、前記カバーが押込み位置にあるとき、前記本体の内部に隠蔽された第二カバー部とを備え、前記第一カバー部の一部又は全部が透光性を有する第一透光部であり、前記第二カバー部の一部又は全部が透光性を有する第二透光部であり、前記カバーの押込み位置から突出位置への移動に伴って前記第二透光部が前記本体の手前側に露出することを特徴とする照明設備である。
【０００８】
本発明が採用した請求項２の手段は、前記第一透光部の単位面積当たりの透光量が、前記第二透光部の単位面積当たりの透光量に比べて少ない請求項１に記載の照明設備である。
【０００９】
本発明が採用した請求項３の手段は、前記光源は発光量を変化できるものであり、前記カバーが押込み位置にあるときには発光量を少なくし、前記カバーが突出位置にあるときには発光量を多くするようにした発光量切換回路が設けられている請求項１又は２に記載の照明設備である。
【００１０】
本発明が採用した請求項４の手段は、前記光源は発光色の異なるものを有しており、前記カバーの位置に応じて発光色を切り換える発光色切換回路が設けられている請求項１乃至３のいずれかに記載の照明設備である。
【００１１】
本発明が採用した請求項５の手段は、前記カバーは前記本体の手前側への摺動又は揺動を停止させる停止装置を有し、該停止装置は停止機能を解除し、前記開口部を手前側に解放する解除機構を備えている請求項１に記載の照明設備である。
【００１２】
本発明が採用した請求項６の手段は、前記照明設備がミラーキャビネットの主鏡に近接して配設され、前記カバーが押込み位置にあるときに前記第一カバー部と、前記主鏡とが、面一になるようにした請求項１乃至５のいずれかに記載の照明設備である。
【００１３】
本発明が採用した請求項７の手段は、取出し口を有する収納空間を前記主鏡の背面側に設けると共に、前記主鏡が前記取出し口を開閉できるように設けられ、前記主鏡を開いたときに、前記第二透光部を通して前記収納空間を照明するようにした請求項６に記載の照明設備である。
【００１４】
本発明が採用した請求項８の手段は、前記主鏡の両側に照明設備が近接して配設されている前記請求項６又は７に記載の照明設備である。
【発明の効果】
【００１５】
請求項１の発明にあっては、本体の開口部を覆うカバーが、押込み位置で手前側へ露出している第一のカバー部と、突出位置で本体の手前側へ露出する第二のカバー部とで形成されており、しかも両カバー部が第一又は第二の透光部を有しているので、押込み位置のときであっても前記第一の透光部から光源の光が前面側へ照射され、使用者にとって眩しくない照明が行われる。また投光領域の面積が可変できるようになっており、カバーが突出位置にあるときには、第二のカバーの第二透光部の露呈する領域が拡大し、当該露呈した領域の第二の透光部を通じて光源の光が正面側へ照射されるようになり、使用状態に応じた最適な光量を選択することが可能である。
【００１６】
請求項２の発明にあっては、前記カバーが本体の開口部を閉じた押込み位置にあるときには、発光量の少ない第一透光部のみから照明されるので、使用者に眩しくない照明が可能である。
【００１７】
請求項３の発明にあっては、発光量の切り換えを発光量切換回路によって行っている。発光量の切り換えは、光源の点灯個数を変更したり、光源に対する供給電力を調整したりすることで行うことが可能であり、目的に応じて光量を得ることが可能である。
【００１８】
請求項４の発明にあっては、発光色の切換回路を有しており、カバーの位置に応じて異なる発光色の照明を行い、色の変化を楽しむことが可能である。
【００１９】
請求項５の発明にあっては、カバーを停止位置で停止させることができるので、通常の使用状態では、カバーを開け過ぎないように最大投光量まで一気に開放することができる。また停止位置から解除機構により、カバーの係合関係を解除して更にカバーを開くことで、カバーより内側の光源などのメンテナンスを行うことが可能である。
【００２０】
請求項６の発明にあっては、カバーが押込み位置にあるとき、ミラーキャビネット側の主鏡と第一カバー部とが面一になるので意匠性がよい。
【００２１】
請求項７の発明にあっては、ミラーキャビネット側の主鏡の背面側が収納空間であり、主鏡を開けたときに照明設備で前記収納空間を照明することができるので、収納空間の利用が便利となる。
【００２２】
請求項８の発明にあっては、主鏡の両側に照明設備を近接して配設しており、鏡面を拡大でき、また主鏡の両側から照明されるのでバランスのよい照明が可能である。
【発明を実施するための最良の形態】
【００２３】
以下に、本発明の構成を図面に示す発明の実施の形態に基づいて説明すると次の通りである。図１乃至図５は本発明を洗面化粧台１のミラーキャビネット２へ適用した第１の実施の形態に係るものである。図１の図（Ａ）は洗面化粧台１の正面図、図（Ｂ）は同側面図、図（Ｃ）は主鏡３及び左右の副鏡（カバー）４Ａ，４Ｂを閉じたときのミラーキャビネット２の平面図、図（Ｄ）は同開けたときの平面図である。図２の図（Ａ）は各鏡を閉じたときのミラーキャビネット２の一部を示す横断面平面図であり、図（Ｂ）は主鏡３及び副鏡４Ａの中間省略した正面図である。図３の図（Ａ）はカバー９及び副鏡４Ａの横断面平面図、図（Ｂ）は同側面図、図（Ｃ）は同分解した横断面平面図である。図４の図（Ａ）は各鏡を開けたときのミラーキャビネット２の一部を示す横断面平面図であり、図（Ｂ）は主鏡３及び副鏡４Ａの中間省略した正面図である。図５は主鏡３と副鏡４Ａとを開けたときのミラーキャビネット２の一部を示す横断面平面図である。
【００２４】
洗面化粧台１は、洗面キャビネット６の上面側に洗面器７が配設されており、その奥部には壁面に密着して取り付けられるミラーキャビネット２が載置固定されている。ミラーキャビネット２は、主鏡３が中央に配設されており、その両サイドに副鏡４Ａ，４Ｂが配設されている。これらの各鏡３，４Ａ，４Ｂは、それぞれミラーキャビネット２の開口部を覆うカバー８及び９の表面側に取り付けられている。左右のカバー８は、縦方向の一端側（ミラーキャビネット２の本体を構成する左右の外側板に近接する側）を枢軸として扉方式で開閉自在となっている。また、中央のカバー９は、縦方向の一端側（ミラーキャビネット２の本体を構成する左右の仕切板のいずれか一方に近接する側）を枢軸として扉方式で開閉自在となっている。そして、主鏡３の背面側は消耗品や小物品等の収納空間２８となっており、副鏡４Ａ，４Ｂの背面側は蛍光灯等の光源１２の設置空間２９となっている。カバー８は、本実施例では、揺動自在に軸支した基板部１１に主鏡３を取り付けてある。
【００２５】
副鏡４Ａ，４Ｂ及びこれが取り付けられたカバー９は、押込み位置（図２の状態）で手前側へ露出している第一のカバー部９ａと、突出位置（図４及び図５の状態）でミラーキャビネット本体の手前側へ露出する第二のカバー部９ｂとで形成されており、しかも両カバー部９ａ，９ｂが第一の透光部１４又は第二の透光部１５を有しているので、押込み位置のときであっても前記第一の透光部１４から光源１２の光が前面側へ照射され、使用者にとって眩しくない照明が行われるようになっている。カバー９は、具体的な実施例では、基板部１０の主鏡３寄りに透光調整板１３が取り付けられている。透光調整板１３は、透光性を有する例えば乳白色で半透明のアクリル樹脂等から成形されている。またカバー９は、図示省略したが、基板部１０の主鏡３寄りの一部（例えば、上下の小口板部の間又は縦方向の中間）を切除し、切除部に透光調整板１３を取り付けることもある。透光調整板１３は、副鏡４Ａ，４Ｂと面一の表面側に露呈して位置する第一の透光部１４と、内部の湾曲面状に形成された第二の透光部１５とで構成されている。つまり、透光調整板１３は、第一のカバー部の第一の透光部１４と、第二のカバー部の第二の透光部１５とを兼用している。その光を透過する度合いは、光源１２の明るさ等を考慮して決定されるようになっており、第一の透光部１４と第二の透光部１５の板厚みを変えたり、材料を変えることで実現可能である。例えば、両透光部１４，１５の単位面積当たりの透光量について、第一の透光部１４を第二の透光部１５に比べて少なくすることができ、この場合、カバー９が押込み位置にあるときは使用者に対して眩しくない照明をし、また、カバー９が突出位置にあるときには十分な光量を照射することができる。第二の透光部１５は、適度の弾性を有し、カバー９が突出位置（図４及び図５の状態）のときに、ミラーキャビネット本体の手前側へ露出しないで設置空間２９に位置する縁部１５ａ（図４参照）を後述する区画板１９に弾性力で圧接させて、区画板１９との間に光が漏れ出す隙間を形成させないようにしてある。
【００２６】
更に、カバー９の背面側（設置空間２９側）には、カバー９の開き具合を停止させる装置１６が設置されている。停止装置１６は、図３及び図４に表されているように、長尺の一枚のプラスチック板やバネ鋼板等の弾性板の先端に係合用のローラ１７が回動自在に取り付けられており、その途中に幅広部分が形成された解除手段１８が設けられている。一方、ミラーキャビネット本体の収納空間２８と光源１２の設置空間２９との間を区画する区画板１９には、前記ローラ１７と係合してその転動を停止するためのストッパ２０が突出形成されている。
【００２７】
次に、以上のように構成された照明設備の使用態様を説明する。先ず、図１の図（Ａ）〜図（Ｃ）及び図２の図（Ａ），図（Ｂ）に示すように、カバー８及び９が閉じられている押込み位置にあるときは、その手前側に取り付けられた主鏡３とその左右の副鏡４Ａ，４Ｂとは面一状態であり、鏡面を幅広く使用することが可能である。このとき、光源１２，１２の光は、主鏡３と、その左右の副鏡４Ａ，４Ｂとの間の第一の透光部１４，１４を通じて表面側へ照射され、主鏡３の前へ立った使用者を照明することができる。このときの透光量は、最小透光量であり、眩しいものではない。
【００２８】
そして、この状態から更に光量を増加させたい場合は、図４の図（Ａ）及び図（Ｂ）に示すように、カバー９の主鏡３側を手前側へ引き出し、所望する光量が得られる角度まで開ける。これにより、光源１２の光が透光調整板１３の第一の透光部１４及び第二の透光部１５から正面側へ照射され、主鏡３の前の使用者を照明するようになる。このように基板部１０の主鏡３寄りに透光調整板１３が取り付けられており、第一の透光部１４，１４とこれに連続する第二の透光部１５，１５とから光源１２，１２の光が主鏡３の前の使用者に対して照射されるので、化粧等を行うに際して十分な光量を得ることが可能であり、また光量を使用者が任意に設定することが可能である。なお、カバー９を、停止装置１６のローラ１７がストッパ２０に係合する位置まで開いた突出位置のときが最大透光量の位置である。またこのとき、カバー９は、基板部１０と透光調整板１３で囲まれた上下端面側は自由空間Ｓとなっており、同図の図（Ｂ）に示すように、当該自由空間Ｓから上下方向へも光源１２の光が照射され、洗面化粧台１の周囲を明るく照明することが可能である。
【００２９】
更に、図５に示すように、副鏡４Ａ，４Ｂが取り付けられたカバー９を開放した突出位置の状態から主鏡３が取り付けられたカバー８を開放すると、前記光源１２の光が透光調整板１３を通じて消耗品や小物品等の収納空間２８へ照射され、収納空間２８へのこれらの物品の出し入れが便利である。なお、カバー９が閉じられた押込み位置にあるときであっても、主鏡３が取り付けられたカバー８を開放すると、透光調整板１３の第二の透光部１５の一部が側面側から露呈し、収納空間２８を照明するので、小物品などの出し入れに便利である。
【００３０】
また図４に示す状態において、下方の前記自由空間Ｓから挿入した指先で停止装置１６の解除手段（図３の図（Ｂ）参照）１８を把持してローラ１７とストッパ２０との係合を解放させると、カバー９を前記停止位置から更に開いて解放することができる。そのため、設置空間２９内に設置された光源１２の点検及び交換のメンテナンス作業や透光調整板１３の裏面側等の清掃作業を行うことが可能である。
【００３１】
それに加えて、光量の調整は、光源１２に発光量切換回路を設けておき、カバー９を開放して突出位置側へ移動させたときに、その突出位置に応じて光源１２に加わる電圧が大きくなって光源１２からの発光量が多くなるようにすることも可能である。また別な光量の調整方法として、光源１２を複数個設け、カバー９が押込み位置にあるときには一個の光源１２を発光させて最小発光量とし、カバー９の突出位置に応じて順次点灯する光源の数を増加させるようにするようにしてもよい。更にまた、複数個の光源１２を色分けしてカバー９の位置に応じて発光する光源１２を変え、発光色を変化させるようにすることも可能である。もちろん、複数の光源１２の切換と、発光色の切換とを併用することも可能である。
【００３２】
図６及び図７は本発明の第２の実施の形態に係るものであり、図６は副鏡４Ａ，４Ｂが取り付けられたカバー９が閉じられた位置にある場合の横断面平面図、図７はカバー９が解放された位置にあるときの横断面平面図である。この第２の実施の形態では、カバー９の主鏡３から離れた位置に第一透光部２１を設けるようにしている。従って、カバー９の主鏡３側の端面に取り付けられた光量調整部である第二透光部２２は、カバー９を開いたときに透過する光量を調整する光量調整部を有するのみである。
【００３３】
この第２の実施の形態では、図６に示すカバー９が閉じられている状態では、主鏡３と副鏡４Ａ，４Ｂとが連続し、幅広い鏡面を構成することができる。そして、この状態では光源１２の光が第一透光部２１を通じてのみ前面側へ照射されるので、使用者にとって眩しくない光量での照明となる。これに対して、図７に示すカバー９を開いた状態では、第二透光部２２を通じて主鏡３の前に立つ使用者を照明することができるので十分な光量を得ることが可能である。その他の構成並びに作用効果については、前記第１の実施の形態の場合と同じである。
【００３４】
図８は本発明の第３の実施の形態に係るものであり、図（Ａ）はキャビネット本体の一部を示す横断面平面図、図（Ｂ）は中間省略した同正面図である。この実施の形態では、第１の実施の形態におけるカバー９を、キャビネット本体の左側板２３の内側に取り付けたスライドレール２４に前後方向へスライド自在に取り付けており、透光調整板１３の光量調整部である第二透光部１５はストレートに形成されている。カバー９を閉じた状態にした最小透光量のときは、前記第１の実施の形態の場合と同じであり、透光調整板１３の第一透光部１４から光源１２の光が主鏡３の前に立った使用者に対して照射され、照明が行われる。この状態からカバー９を手前側へストレートに引き出すと、光量調整部１５が徐々に表れ、該光量調整部１５を介して光源１２の光が使用者に対して照射され、最大透光量の範囲まで可変的に十分な光量をもって照明することができる。またこのとき、カバー９の左端側においてもキャビネット本体との間に自由空間が形成されるので、当該自由空間からも光源１２の光が外部へ向けて照射され、洗面化粧台１の周囲を照明するようになる。そのため、洗面化粧台１の全体を照明することが可能である。
【００３５】
図９は本発明の第４の実施の形態に係るものであり、図（Ａ）は洗面化粧台２５の正面図、図（Ｂ）は同側面図、図（Ｃ）はミラーキャビネット２６の副鏡４Ａ，４Ｂを開いたときの側面図である。この実施の形態では、第１の実施形態におけるミラーキャビネット２を洗面台の上に横置きに載置し、上下方向の中央に主鏡３が位置するようにし、主鏡３の上下にそれぞれ副鏡４Ａ，４Ｂが位置するように配置している。その他の構成並びに作用効果は、前記各実施の形態の場合と同じである。
【産業上の利用可能性】
【００３６】
ところで、本発明は上述した実施の形態に限定されるものではなく、適宜の変更が可能である。例えば、洗面化粧台１のミラーキャビネットの照明以外にも、収納棚、水屋等へ適用することが可能である。またカバー９の表面側には、副鏡４Ａを設けることが好ましいが、副鏡４Ａの代わりに表面化粧板を設けてもよく、何も設けなくてもよい。更に、第一のカバー部の遮光部と第一の透光部１４とを別体で設けた場合を説明したが、透光性を有する第一の透光部１４（透光調整板１３）と同じ材料で一体に設けもよい。
【図面の簡単な説明】
【００３７】
【図１】本発明の第１の実施の形態に係るものであり、図（Ａ）は洗面化粧台の正面図、図（Ｂ）は同側面図、図（Ｃ）は主鏡及び左右の副鏡（カバー）を閉じたときのミラーキャビネットの平面図、図（Ｄ）は同開けたときの平面図である。
【図２】本発明の第１の実施の形態に係るものであり、図（Ａ）は各鏡を閉じたときのミラーキャビネットの一部を示す横断面平面図であり、図（Ｂ）は主鏡及び副鏡の中間省略した正面図である。
【図３】本発明の第１の実施の形態に係るものであり、図（Ａ）はカバー及び副鏡の横断面平面図、図（Ｂ）は同側面図、図（Ｃ）は同分解した横断面平面図である。
【図４】本発明の第１の実施の形態に係るものであり、図（Ａ）は各鏡を開けたときのミラーキャビネットの一部を示す横断面平面図であり、図（Ｂ）は主鏡及び副鏡の中間省略した正面図である。
【図５】本発明の第１の実施の形態に係るものであり、主鏡と副鏡とを開けたときのミラーキャビネットの一部を示す横断面平面図である。
【図６】本発明の第２の実施の形態に係るものであり、副鏡が取り付けられたカバーが閉じられた位置にある場合の横断面平面図である。
【図７】本発明の第２の実施の形態に係るものであり、カバーが解放された位置にあるときの横断面平面図である。
【図８】本発明の第３の実施の形態に係るものであり、図（Ａ）はキャビネット本体の一部を示す横断面平面図、図（Ｂ）は中間省略した同正面図である。
【図９】本発明の第４の実施の形態に係るものであり、図（Ａ）は洗面化粧台の正面図、図（Ｂ）は同側面図、図（Ｃ）はミラーキャビネットの副鏡を開いたときの側面図である。
【符号の説明】
【００３８】
１…洗面化粧台、２…ミラーキャビネット、３…主鏡、４Ａ及び４Ｂ…副鏡、６…洗面  キャビネット、７…洗面器、８…主鏡のカバー、９…副鏡のカバー、１０…収納空間、  １１…光源、１２…光源の設置空間、１３…透光調整板、１４…透光部、１５…光量調  整部、１６…停止装置、１７…ローラ、１８…解除手段、２０…ストッパ
【図１】
2006198154.tif 000003
【図２】
2006198154.tif 000004
【図３】
2006198154.tif 000005
【図４】
2006198154.tif 000006
【図５】
2006198154.tif 000007
【図６】
2006198154.tif 000008
【図７】
2006198154.tif 000009
【図８】
2006198154.tif 000010
【図９】
2006198154.tif 000011